(57)【特許請求の範囲】
【請求項１】
複数の身体部位に関する所見情報の電子所見録への入力を支援する電子所見録記録支援装置であって、
音声入力機能および画像表示機能をそれぞれ有する複数の端末装置と接続する端末接続部と、
前記端末装置毎に、音声認識処理により、前記身体部位の部位名が音声入力されたか否か、および、前記所見情報が音声入力されたか否か、を判定する音声認識解析部と、
前記端末装置毎に、前記複数の身体部位の部位名の一覧を含む所見録入力画面を生成して表示させ、前記部位名が前記端末装置において音声入力されたとき、当該端末装置の前記所見録入力画面に、対応する前記所見情報を入力するための部位別画面を含める入力画面制御部と、
前記部位別画面を表示している前記端末装置において前記所見情報が音声入力されたとき、音声入力された前記所見情報を、対応する前記部位名に対応付けて前記電子所見録に記録する情報記録部と、を有し、
前記入力画面制御部は、
前記複数の端末装置のうちの１つにおいて前記部位別画面が表示されている間、他の前記端末装置に表示されている対応する前記部位名に対して、対応する前記所見情報の入力が不可である事を示す不可通知情報を付与し、対応する前記部位別画面を前記他の端末装置において表示させない、
電子所見録記録支援装置。
【請求項２】
前記入力画面制御部は、
前記部位名の表示形態の変化させることにより、前記不可通知情報を付与する、
請求項１に記載の電子所見録記録支援装置。
【請求項３】
前記部位別画面は、複数の項目名の一覧を表示し、
前記音声認識解析部は、
前記複数の端末装置のそれぞれについて、音声認識処理により、前記端末装置に表示されている前記項目名が音声入力されたか否か、を判定し、
前記情報記録部は、
前記項目名を表示している前記端末装置において当該項目名が音声入力されたとき、当該項目名を選択し、選択されている前記項目名を表示している前記端末装置において前記所見情報が音声入力されたとき、音声入力された前記所見情報を、選択されている前記項目名に対応付けて前記電子所見録に記録する、
請求項１に記載の電子所見録記録支援装置。
【請求項４】
前記部位別画面は、前記複数の項目名のそれぞれに対応付けて、前記項目名毎の入力欄を表示し、
前記入力画面制御部は、
前記項目名を表示している前記端末装置において当該項目名および前記所見情報が音声入力されたとき、音声入力された前記所見情報を、対応する前記入力欄に表示する、
請求項３に記載の電子所見録記録支援装置。
【請求項５】
前記音声認識解析部は、
音声認識処理により、前記端末装置に表示されている前記所見情報を編集するための編集コマンドが音声入力されたか否か、を判定し、
前記入力画面制御部は、
前記所見情報を表示している前記端末装置において前記編集コマンドが音声入力されたとき、当該編集コマンドに従って、表示されている前記所見情報を編集し、
前記情報記録部は、
前記所見情報が編集されたとき、編集された前記所見情報を、対応する前記部位名に対応付けて前記電子所見録に記録する、
請求項４に記載の電子所見録記録支援装置。
【請求項６】
前記音声認識解析部は、
前記複数の端末装置のそれぞれについて、音声認識処理により、選択されている前記項目名に対応する前記所見情報の入力を開始する入力開始コマンドが音声入力されたか否か、および、選択されている前記項目名に対応する前記所見情報の入力を停止する入力停止コマンドが音声入力されたか否か、を判定し、
前記入力画面制御部は、
前記端末装置において、前記入力開始コマンドが音声入力されてから前記入力停止コマンドが音声入力されるまでの間は、当該端末装置において前記部位別画面の表示の切り替え、および、前記項目名の選択の切り替えを行わない、
請求項５に記載の電子所見録記録支援装置。
【請求項７】
前記部位別画面は、当該部位別画面に表示されている前記所見情報を編集するための前記編集コマンドの読み、前記入力開始コマンドの読み、および前記入力停止コマンドの読みを一覧表示する、
請求項６に記載の電子所見録記録支援装置。
【請求項８】
前記音声認識解析部は、
前記複数の部位名、当該複数の部位名に対応する前記複数の項目名、前記所見情報に用いられる複数の語句、前記編集コマンド、前記入力開始コマンド、および前記入力停止コマンドの、それぞれの読みを記述した発音辞書を用いる、
請求項７に記載の電子所見録記録支援装置。
【請求項９】
前記入力画面制御部は、
対応する前記複数の項目名の全てについて前記所見情報が記録された前記部位名に対して、前記所見情報の入力が完了した事を示す完了通知情報を付与する、
請求項３に記載の電子所見録記録支援装置。
【請求項１０】
複数の身体部位に関する所見情報の電子所見録への入力を支援する電子所見録記録支援方法であって、
音声入力機能および画像表示機能をそれぞれ有する複数の端末装置のそれぞれに、前記複数の身体部位の部位名の一覧を表示させるステップと、
前記端末装置毎に、音声認識処理により、前記部位名が音声入力されたか否かを判定するステップと、
前記端末装置において前記部位名が音声入力されたとき、当該部位名に対応する前記所見情報を入力するための部位別画面が他の前記端末装置において表示されていないことを条件として、当該部位名が音声入力された前記端末装置に、当該部位名に対応する前記部位別画面を前記部位名の一覧に加えて表示させるステップと、
前記複数の端末装置のうちの１つにおいて前記部位名が音声入力されたとき、当該部位名に対応する前記所見情報を入力するための部位別画面を、当該部位別画面が他の前記端末装置において表示されていないことを条件として、当該部位名が音声入力された前記端末装置に前記部位名の一覧に加えて表示させるステップと、
前記複数の端末装置のうちの１つにおいて前記部位別画面が表示されている間、他の前記端末装置に表示されている対応する前記部位名に対して、対応する前記所見情報の入力が不可である事を示す不可通知情報を付与するステップと、
前記端末装置毎に、音声認識処理により、前記所見情報が音声入力されたか否かを判定するステップと、
前記部位別画面を表示している前記端末装置において前記所見情報が音声入力されたことを条件として、音声入力された前記所見情報を、対応する前記部位名に対応付けて前記電子所見録に記録するステップと、を有する、
電子所見録記録支援方法。
【発明の詳細な説明】
【技術分野】
【０００１】
本発明は、複数の身体部位に関する所見情報の電子所見録への入力を支援する電子所見録記録支援装置および電子所見録記録支援方法に関する。
【背景技術】
【０００２】
近年、診療の分野において電子カルテ（所見録）の普及が進んでいる。通常、電子カルテは、液晶ディスプレイ等の表示インタフェースに、入力すべき情報の項目や入力欄を配置した画面を表示する。そして、電子カルテは、キーボードおよびマウス等の手入力インタフェースを介して、医療従事者から情報の入力を受け付け、入力された情報を参照可能な状態で記録する。
【０００３】
総合病院等では、複数の医療従事者がカルテの記録や参照を行う。そこで、複数の端末装置から１つの電子カルテにアクセスすることを可能にする技術が提案されている（例えば特許文献１参照）。
【０００４】
特許文献１に記載の技術（以下「従来技術」という）は、ある患者の電子カルテがいずれかの端末装置において編集されている間、他の端末装置ではかかる患者の電子カルテの編集ができないようにするとともに、所定のルールに基づいて編集を許可する端末装置を切り替える。このような従来技術によれば、複数の医療従事者による電子カルテへの所見情報の記録を、効率良く行うことができる。
【先行技術文献】
【特許文献】
【０００５】
【特許文献１】特開２０１４−１３５７７号公報
【発明の概要】
【発明が解決しようとする課題】
【０００６】
ところで、診療の分野だけでなく、法医解剖や病理解剖の分野においても、剖検所見を記録する所見録の電子化が望まれる。
【０００７】
しかしながら、剖検を行っている執刀医にとって、手入力インタフェースを使用することは困難である。また、一人は頭部の剖検を行い、他の一人は腹部の剖検を行うというように、複数の執刀医が１つの被検体について同時に剖検を行うことも多い。したがって、上述の従来技術は、剖検所見を電子的な所見録（以下「電子所見録」という）に記録する用途には適していない。
【０００８】
本発明の目的は、剖検所見の電子所見録への記録作業を支援することができる電子所見録記録支援装置および電子所見録記録支援方法を提供することである。
【課題を解決するための手段】
【０００９】
本発明の一態様に係る電子所見録記録支援装置は、複数の身体部位に関する所見情報の電子所見録への入力を支援する電子所見録記録支援装置であって、音声入力機能および画像表示機能をそれぞれ有する複数の端末装置と接続する端末接続部と、前記端末装置毎に、音声認識処理により、前記身体部位の部位名が音声入力されたか否か、および、前記所見情報が音声入力されたか否か、を判定する音声認識解析部と、前記端末装置毎に、前記複数の身体部位の部位名の一覧を含む所見録入力画面を生成して表示させ、前記部位名が前記端末装置において音声入力されたとき、当該端末装置の前記所見録入力画面に、対応する前記所見情報を入力するための部位別画面を含める入力画面制御部と、前記部位別画面を表示している前記端末装置において前記所見情報が音声入力されたとき、音声入力された前記所見情報を、対応する前記部位名に対応付けて前記電子所見録に記録する情報記録部と、を有し、前記入力画面制御部は、前記複数の端末装置のうちの１つにおいて前記部位別画面が表示されている間、他の前記端末装置に表示されている対応する前記部位名に対して、対応する前記所見情報の入力が不可である事を示す不可通知情報を付与し、対応する前記部位別画面を前記他の端末装置において表示させない。
【００１０】
本発明の一態様に係る電子所見録記録支援方法は、複数の身体部位に関する所見情報の電子所見録への入力を支援する電子所見録記録支援方法であって、音声入力機能および画像表示機能をそれぞれ有する複数の端末装置のそれぞれに、前記複数の身体部位の部位名の一覧を表示させるステップと、前記端末装置毎に、音声認識処理により、前記部位名が音声入力されたか否かを判定するステップと、前記端末装置において前記部位名が音声入力されたとき、当該部位名に対応する前記所見情報を入力するための部位別画面が他の前記端末装置において表示されていないことを条件として、当該部位名が音声入力された前記端末装置に、当該部位名に対応する前記部位別画面を前記部位名の一覧に加えて表示させるステップと、前記複数の端末装置のうちの１つにおいて前記部位名が音声入力されたとき、当該部位名に対応する前記所見情報を入力するための部位別画面を、当該部位別画面が他の前記端末装置において表示されていないことを条件として、当該部位名が音声入力された前記端末装置に前記部位名の一覧に加えて表示させるステップと、前記複数の端末装置のうちの１つにおいて前記部位別画面が表示されている間、他の前記端末装置に表示されている対応する前記部位名に対して、対応する前記所見情報の入力が不可である事を示す不可通知情報を付与するステップと、前記端末装置毎に、音声認識処理により、前記所見情報が音声入力されたか否かを判定するステップと、前記部位別画面を表示している前記端末装置において前記所見情報が音声入力されたことを条件として、音声入力された前記所見情報を、対応する前記部位名に対応付けて前記電子所見録に記録するステップと、を有する。
【発明の効果】
【００１１】
本開示によれば、剖検所見の電子所見録への記録作業を支援することができる。
【図面の簡単な説明】
【００１２】
【図１】本発明の一実施の形態に係る電子所見録記録支援装置が使用されるシステムの概要の一例を示す図
【図２】本実施の形態に係る電子所見録記録支援装置の構成の一例を示す図
【図３】本実施の形態における所見録構造データの内容の一例を示す図
【図４】本実施の形態におけるコマンドデータの内容の一例を示す図
【図５】本実施の形態における発音辞書データの内容の一例を示す図
【図６】本実施の形態における端末状態管理表の内容の一例を示す図
【図７】本実施の形態における電子所見録の作業開始画面の一例を示す図
【図８】本実施の形態に係る電子所見録記録支援装置の動作の一例を示すフローチャート
【図９】本実施の形態における所見録入力画面の第１の例を示す図
【図１０】本実施の形態における所見録入力画面の第２の例を示す図
【図１１】本実施の形態における所見録入力画面の第３の例を示す図
【図１２】本実施の形態における所見録入力画面の第４の例を示す図
【図１３】本実施の形態における所見録入力画面の第５の例を示す図
【図１４】本実施の形態における所見録情報データの内容の一例を示す図
【図１５】本実施の形態における剖検記録の一例を示す図
【発明を実施するための形態】
【００１３】
以下、本発明の一実施の形態について、図面を参照して詳細に説明する。
【００１４】
＜システム概要＞
まず、本実施の形態に係る電子所見録記録支援装置が使用される電子所見録システムの概要について説明する。本実施の形態において、電子所見録システムは、法医解剖における剖検所見を記録するためのシステムである。
【００１５】
図１は、本実施の形態に係る電子所見録記録支援装置が使用される電子所見録システムの概要の一例を示す図である。
【００１６】
図１に示すように、電子所見録システム１００は、解剖室１１０の内部に配置される第１および第２の端末装置２００１、２００２と、解剖室１１０の外部に配置される電子所見録記録支援装置３００とを有する。
【００１７】
第１の端末装置２００１は、第１の端末制御装置２１０１と、マイクロフォンを備えた第１のヘッドセット２２０１と、液晶ディスプレイを備えた第１の表示装置２３０１と、を有する。
【００１８】
第１のヘッドセット２２０１および第１の表示装置２３０１は、それぞれ、第１の端末制御装置２１０１に通信可能に接続されている。すなわち、第１の端末装置２００１は、音声入力機能および画像表示機能を有する端末装置である。第１のヘッドセット２２０１は、ある被検体１２０を法医解剖する執刀医である第１のユーザ１３０１の頭部に装着される。第１の表示装置２３０１は、この第１のユーザ１３０１によって使用される。
【００１９】
また、第２の端末装置２００２も、第２の端末制御装置２１０２、第２のヘッドセット２２０２、および第２の表示装置２３０２を備えた、第１の端末装置２００１と同様の構成となっている。第２のヘッドセット２２０２は、被検体１２０を法医解剖するもう一人の執刀医である第２のユーザ１３０２の頭部に装着される。第２の表示装置２３０２は、この第２のユーザ１３０２によって使用される。
【００２０】
電子所見録記録支援装置３００は、第１の端末制御装置２１０１および第２の端末制御装置２１０２のそれぞれと通信可能に接続し、第１の端末装置２００１および第２の端末装置２００２のそれぞれに電子所見録のユーザインタフェースを実現する。すなわち、電子所見録記録支援装置３００は、各端末装置２００に所見録入力画面を表示させ、所見録情報の提示および電子所見録への所見情報の入力の受け付けを行う。
【００２１】
より具体的には、電子所見録記録支援装置３００は、音声によるハンズフリーでの所見情報の入力を可能にし、更に、第１および第２のユーザ１３０１、１３０２が同時に所見情報を入力することを可能にする。
【００２２】
＜装置の構成＞
次に、電子所見録記録支援装置３００の構成について説明する。
【００２３】
図２は、電子所見録記録支援装置３００の構成の一例を示す図である。
【００２４】
図２において、電子所見録記録支援装置３００は、情報格納部３１０、端末接続部３２０、音声認識解析部３３０、入力画面制御部３４０、および情報記録部３５０を有する。
【００２５】
情報格納部３１０は、電子所見録のユーザインタフェースを実現するための各種情報を予め格納している。より具体的には、情報格納部３１０は、音声認識辞書３１１、所見録構成情報３１２、および所見録情報データ３１３を格納している。
【００２６】
音声認識辞書３１１は、音響モデル、発音辞書、および言語モデル等の、音声データをテキストデータに変換する音声認識処理で使用される情報である。音響モデルは、音声の特徴量と発音記号との確率的な対応付けをデータ化したものである。発音辞書は、音声認識処理による音声認識結果の候補群として、複数のテキスト配列を記述したものである。言語モデルは、発音辞書に記述されたテキスト配列のそれぞれについて、出現確率や接続確率をデータ化したものである。
【００２７】
なお、発音辞書および言語モデルは、医学専門用語および所見録の記録形式に対応したものであることが望ましい。また、音響モデルは、学習によりユーザ毎にカスタマイズされた音響モデルと、不特定のユーザ用の音響モデルとを含むことが望ましい。また、発音辞書および言語モデルは、後述の、表示画面毎および画面モード毎に用意されていることが望ましい。
【００２８】
所見録構成情報３１２は、電子所見録のユーザインタフェースを構築するために必要な情報である。所見録構成情報３１２は、例えば、所見録構造データ、コマンドデータ、発音辞書データ、および端末状態管理表を含む。
【００２９】
所見録構造データは、電子所見録の構造を記述するデータである。コマンドデータは、ユーザから受け付けるコマンドを記述するデータである。発音辞書データは、電子所見録で表示される文字列とその読みとを対応付けて記述するデータである。端末状態管理表は、各端末装置２００を識別し、各端末装置２００の状態を記述する情報である。なお、所見録構造データ、コマンドデータ、および発音辞書データは、予め用意された情報であるのに対し、端末状態管理表は、電子所見録システム１００の状態に応じて生成され変化する情報である。
【００３０】
図３は、所見録構造データの内容の一例を示す図である。
【００３１】
図３に示すように、所見録構造データ４１０は、部位名４１１毎に、部位名に属する項目名４１２と、当該項目名４１２の入力欄タイプ４１３とを記述する。
【００３２】
部位名４１１は、身体部位の名称である。部位名４１１とは、例えば、「心臓」等の、一人の執刀医が剖検を行う際に一時に着目する、被検体の範囲の名称である。なお、本実施の形態では、「基本情報」といった、一人の執刀医が剖検を行う際に一時に着目する、一まとまりの各種情報の名称についても、部位名４１１として取り扱う。
【００３３】
項目名４１２は、部位名４１１に対応する、所見情報を記録すべき対象の名称である。
【００３４】
入力欄タイプ４１３は、項目名４１２に対応する所見情報の、入力の仕方の種別である。
【００３５】
なお、所見録構造データ４１０は、部位名４１１、項目名４１２、および項目名４１２のそれぞれについて、所見録入力画面において表示される際の、位置、大きさ、字体、および色等の情報を含んでいてもよい。また、所見録構造データ４１０は、項目名４１２のそれぞれについて、入力された所見情報のメモリ格納場所に関する情報を含んでいてもよい。
【００３６】
図４は、コマンドデータの内容の一例を示す図である。
【００３７】
図４に示すように、コマンドデータ４２０は、画面モード４２１毎に、コマンド４２２を記述している。
【００３８】
画面モード４２１は、電子所見録の画面が受け付ける操作の種別である。本実施の形態において、画面モード４２１に、少なくとも、「選択モード」および「入力モード」を含む。選択モードは、画面に表示された部位名や項目名を選択する操作を受け付けるモードである。入力モードは、画面に表示された項目名に対応する入力欄への情報入力操作を受け付けるモードである。なお、入力モードは、更に、自由文を入力するためのモードと、数値を入力するためのモードとに分かれていることが望ましい。
【００３９】
コマンド４２２は、所見録入力画面においてユーザから受け付ける命令語である。本実施の形態において、コマンド４２２は、入力欄への入力を開始するための入力開始コマンド、入力欄に記述された内容への編集を行うための各種編集コマンド、および入力欄への入力を停止するための入力停止コマンドを含む。
【００４０】
図５は、発音辞書データの内容の一例を示す図である。
【００４１】
図５に示すように、発音辞書データ４３０は、文字列４３１毎に、読み４３２を記述している。文字列４３１は、電子所見録システム１００が所見録入力画面において音声入力を受け付ける語句の文字列であり、部位名４１１、項目名４１２、およびコマンド４２２（図３および図４参照）を含む。
【００４２】
なお、かかる発音辞書データ４３０と同じ内容の情報が、上述の音声認識辞書３１１の発音辞書に含まれているものとする。あるいは、発音辞書データ４３０は、音声認識辞書３１１と所見録構成情報３１２とで兼用されていてもよい。
【００４３】
図６は、端末状態管理表の内容の一例を示す図である。
【００４４】
図６に示すように、端末状態管理表４４０は、第１の端末装置４４２および第２の端末装置４４３のそれぞれについて、状態項目４４１毎の状態を記述している。
【００４５】
状態項目４１１には、端末ＩＤ、ユーザ名、作業中所見録Ｎｏ．、表示画面、作業状態、および選択中の項目が含まれる。端末ＩＤは、端末装置２００の識別情報である。なお、端末ＩＤは、マイクＩＤとディスプレイＩＤとの組であってもよい。ユーザ名は、端末装置２００を使用するユーザの識別情報である。作業中所見録Ｎｏ.は、端末装置２００で入力あるいは編集の作業の対象となっている所見録情報データの識別情報である。表示画面は、端末装置２００が表示している画面の識別情報である。作業状態は、端末装置２００に設定されている画面モード４２１（図４参照）である。
【００４６】
なお、端末ＩＤは、例えば、電子所見録記録支援装置３００に端末装置２００が接続されたときに、通信ネットワークの自動検出機能やユーザ操作に基づいて、入力画面制御部３４０により記述される。ユーザ名および作業中所見録Ｎｏ．は、例えば、電子所見録の作業開始画面におけるユーザ操作に基づいて、入力画面制御部３４０により記述される。また、表示画面、作業状態、および選択中の項目は、例えば、所見録入力画面に対する各種ユーザ操作を受けて、逐次、入力画面制御部３４０により更新される。
【００４７】
図２の所見録情報データ３１３の内容については、後述する。
【００４８】
図２の端末接続部３２０は、第１および第２の端末装置２００１、２００２のそれぞれと、通信可能に接続する。そして、端末接続部３２０は、第１および第２の端末装置２００１、２００２のそれぞれと、音声認識解析部３３０、入力画面制御部３４０、および情報記録部３５０との間で、情報の中継を行う。
【００４９】
音声認識解析部３３０は、端末装置２００毎に、音声認識辞書３１０を用いた音声認識処理により、部位名４１１（図３参照）が音声入力されたか否か、および、所見情報が音声入力されたか否か、を判定する。なお、音声認識解析部３３０は、図示しないが、発話者の音声をコンパクトなデータに変換する音響分析部と、変換されたデータを解析してテキスト化する認識デコーダとを含む。そして、音声認識解析部３３０は、部位名あるいは所見情報が音声入力されたとき、当該部位名あるいは所見情報のテキスト情報を、入力画面制御部３４０へ出力する。なお、音声認識解析部３３０は、項目名４１２（図３参照）およびコマンド４２２（図４参照）についても、同様に、音声入力の有無の判定および判定結果の出力を行う。
【００５０】
なお、音声認識解析部３３０は、端末状態管理表４４０（図６参照）に基づいて、使用する音響モデル、発音辞書、および言語モデルを切り替えてもよいし、認識対象とする語句を絞ってもよい。
【００５１】
入力画面制御部３４０は、端末装置毎に、複数の身体部位の部位名の一覧を含む所見録入力画面を生成して表示させる。そして、入力画面制御部３４０は、いずれかの部位名がいずれかの端末装置２００において音声入力されたとき、当該端末装置２００の所見録入力画面に、対応する所見情報を入力するための部位別画面を表示させる。また、入力画面制御部３４０は、入力された所見情報のテキスト情報を、入力の対象となった部位名および項目名と対応付けて、情報記録部３５０へ出力する。
【００５２】
但し、入力画面制御部３４０は、一方の端末装置の２００においていずれかの部位別画面が表示されている間、他方の端末装置２００に表示されている対応する部位名に対して、対応する所見情報の入力が不可である事を示す不可通知情報を付与する。また、入力画面制御部３４０は、一方の端末装置の２００においていずれかの部位別画面が表示されている間、対応する部位別画面を、他方の端末装置２００において表示させない。
【００５３】
なお、入力画面制御部３４０は、各端末装置２００における表示画面、作業状態、および選択中の項目を、逐次、端末状態管理表４４０（図６参照）に反映させる。
【００５４】
情報記録部３５０は、入力画面制御部３４０から所見情報のテキスト情報が入力されたとき、入力された所見情報のテキスト情報を、対応する部位名および項目名に対応付けて、所見録情報データ３１３として、情報格納部３１０に格納する。
【００５５】
なお、上述の所見録構造データ４１０（図３参照）と、所見録情報データ３１３との組み合わせは、電子所見録を構成する。すなわち、情報記録部３５０は、ユーザにより入力された所見情報を、電子所見録に記録する。
【００５６】
電子所見録記録支援装置３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路を有する。この場合、上記した各部の機能は、ＣＰＵが制御プログラムを実行することにより実現される。
【００５７】
このような電子所見録記録支援装置３００は、各端末装置２００において、身体部位毎に用意された部位別画面を介して、項目毎の所見情報を音声入力することを可能にする。また、電子所見録記録支援装置３００は、ある端末装置２００においていずれかの部位別画面が表示されている間、他の端末装置２００では当該部位別画面を表示させないとともに、対応する所見情報を音声入力することができない旨を当該他の端末装置２００のユーザに通知することができる。
【００５８】
＜装置の動作＞
次に、電子所見録記録支援装置３００の動作について、電子所見録の画面状態を例示しながら説明する。
【００５９】
まず、入力画面制御部３４０は、端末装置２００毎に、電子所見録の作業開始画面を生成して端末装置２００に表示させる。そして、入力画面制御部３４０は、端末装置２００毎に、所見情報の入力あるいは編集の作業の対象の設定、および、作業を行うユーザの設定を受け付ける。
【００６０】
図７は、電子所見録の作業開始画面の一例を示す図である。
【００６１】
図７に示すように、作業開始画面５１０は、所見録選択領域５１１およびユーザ選択領域５１２を有する。所見録選択領域５１１は、既存の所見録情報データの一覧を表示し、作業開始の対象となる所見録情報データの選択操作、あるいは、新規の所見録情報データの作成開始の操作を、ユーザから受け付ける。ユーザ選択領域５１２は、ユーザ名の一覧を表示し、作業を開始するユーザのユーザ名の選択操作、あるいは、新規のユーザ名の登録の操作を、ユーザから受け付ける。
【００６２】
例えば、第１のユーザ１３０１は、第１の端末装置２００１に表示された作業開始画面５１０において、所見録情報データ「００００１９」およびユーザ名「ＴＡＲＯ」を選択する。また、第２のユーザ１３０２は、第２の端末装置２００２に表示された作業開始画面５１０において、所見録情報データ「００００１９」およびユーザ名「ＨＡＮＡＫＯ」を選択する。
【００６３】
電子所見録記録支援装置３００は、作業開始画面５１０において所見録情報データおよびユーザ名が選択される毎に、以下に説明する動作を端末装置２００毎に行う。
【００６４】
図８は、電子所見録記録支援装置３００の動作の一例を示すフローチャートである。
【００６５】
ステップＳ１０１０において、入力画面制御部３４０は、選択された所見録情報データの所見録入力画面を生成して、選択が行われた端末装置２００に表示させる。このとき、入力画面制御部３４０は、選択が行われた端末装置２００に対して、選択されたユーザ名を登録するとともに、選択モードを設定する。これらの登録および設定は、端末状態管理表４４０（図６参照）を用いて行われる。
【００６６】
図９は、所見録入力画面の一例を示す図である。
【００６７】
図９に示すように、所見録入力画面６００は、部位選択領域６１０、所見入力領域（部位別画面）６２０、コマンド表示領域６３０、および音声認識操作領域６４０を有する。
【００６８】
部位選択領域６１０は、複数の身体部位の部位名４１１（図３参照）を、複数の部位名タブ６１１として一覧表示する領域である。
【００６９】
所見入力領域（部位別画面）６２０は、１つの身体部位について、当該身体部位の部位名４１１に対応する複数の項目名４１２（図３参照）を、複数の項目名ボタン６２１として一覧表示する領域である。また、所見入力領域６２０は、各項目名４１２に対応する入力欄タイプ４１３（図３参照）に応じた入力欄を、入力エリア６２２として、項目名ボタン６２１に対応付けて表示する領域である。
【００７０】
なお、所見録入力画面６００は、各所見入力領域６２０が、対応する部位名タブ６１１が上端に付されたシートに見えるように、描画されている。
【００７１】
コマンド表示領域６３０は、画面モード４２１に応じたコマンド４２２（図４参照）の読みを、一覧表示する。
【００７２】
音声認識操作領域６４０は、認識対象となる単語の登録やユーザプロファイルの編集等の、音声認識辞書３１１を編集する操作や、マイクロフォンのボリュームや音声認識の開始および停止等の、音声認識に関する操作を受け付ける領域である。
【００７３】
入力画面制御部３４０は、例えば、初期状態として、基本情報についての所見入力領域６２０を含む所見録入力画面６００を表示する。
【００７４】
図８のステップＳ１０２０において、音声認識解析部３３０は、選択モードにある端末装置２００において、表示されている部位名の音声入力があったか否かを判定する。かかる判定は、例えば、所見録構造データ４１０（図３参照）、発音辞書データ４３０（図５参照）、および端末状態管理表４４０（図６参照）に基づいて行われる。
【００７５】
ここで、判定の対象となる部位名は、所見録入力画面６００の部位選択領域６１０に、部位名タブ６１１として表示されている。したがって、ユーザは、表示された複数の部位名タブ６１１の中から１つを選択して読み上げるような感覚で、所望の部位名を選択し、これを端末装置２００に音声入力することができる。
【００７６】
音声認識解析部３３０は、選択モードで部位名の音声入力があった場合（Ｓ１０２０：ＹＥＳ）、処理をステップＳ１０３０へ進める。また、音声認識解析部３３０は、選択モードで部位名の音声入力がない場合（Ｓ１０２０：ＮＯ）、処理を後述のステップＳ１０６０へ進める。
【００７７】
ステップＳ１０３０において、入力画面制御部３４０は、他の端末装置２００において、音声入力された部位名についての所見入力領域６２０を含む所見録入力画面６００が表示されているか否かを判定する。かかる判定は、例えば、端末状態管理表４４０（図６参照）に基づいて行われる。
【００７８】
入力画面制御部３４０は、対応する所見録入力画面６００が他の端末装置２００において表示されていない場合（Ｓ１０３０：ＮＯ）、処理をステップＳ１０４０へ進める。また、入力画面制御部３４０は、対応する所見録入力画面６００が他の端末装置２００に表示されている場合（Ｓ１０３０：ＹＥＳ）、処理を後続のステップＳ１０６０へ進める。
【００７９】
ステップＳ１０４０において、入力画面制御部３４０は、音声入力があった端末装置２００に対して、入力された部位名に対応する項目名の一覧を含む所見録入力画面６００、つまり、入力された部位名に対応する所見入力領域６２０を表示させる。
【００８０】
図１０は、「心臓」の部位名に対応する内容に切り替わったときの所見録入力画面の一例を示す図であり、図９に対応するものである。図９と対応する部分には同一符号を付し、これについての説明を省略する。
【００８１】
例えば、第２の端末装置２００２に心臓の所見入力領域６２０が表示されていない間に、第１の端末装置２００１において、選択モードであるときに「心臓」が音声入力されたとする。この場合、入力画面制御部３４０は、図１０に示すように、第１の端末装置２００１に表示されている所見録入力画面６００に、心臓の所見入力領域６２０を表示させる。
【００８２】
なお、所見入力領域６２０は、上述の通り、部位名タブ６１１が付されたシートのように表示されている。このような表示形態により、所見録入力画面６００は、どの身体部位（部位名）についての所見入力領域６２０であるかを、ユーザに示すことができる。
【００８３】
また、図９および図１０では、画面モードは選択モードである。したがって、いずれのコマンド表示領域６３０にも、選択モードのコマンド４２２（図４参照）の読みの一覧が表示される。
【００８４】
なお、身体部位によっては、項目名ボタン６２１および入力エリア６２２が多い場合、全ての項目名ボタン６２１および入力エリア６２２を一度に表示しきれない場合もある。したがって、コマンドには、画面のスクロール操作のコマンドが含まれている。これにより、所見入力領域６２０は、項目名ボタン６２１および入力エリア６２２が多い場合であっても、必要な全ての項目についての項目名ボタン６２１および入力エリア６２２を一覧表示することを、実質的に可能にしている。
【００８５】
図８のステップＳ１０５０において、入力画面制御部３４０は、他の端末装置２００において、ステップＳ１０４０において表示の対象となった身体部位についての不可通知情報を表示する。
【００８６】
図１１は、不可通知情報が表示された所見録入力画面の一例を示す図であり、図９および図１０に対応するものである。図９および図１０と対応する部分には同一符号を付し、これについての説明を省略する。
【００８７】
例えば、第１の端末装置２００１には、心臓の所見入力領域６２０が表示されているとする（図１０参照）。この場合、第２の端末装置２００２に表示される所見録入力画面６００の「心臓」の部位名タブ６１１の表示形態が、他の部位名タブ６１１とは異なった表示形態となる。すなわち、不可通知情報は、他の部位名タブ６１１とは異なる部位名タブ６１１の表示形態である。かかる異なる表示形態としては、例えば、文字色、字体、あるいは背景色の変更を採用することができる。
【００８８】
このような不可通知情報の表示が行われることにより、第２のユーザは、第１のユーザが心臓の所見情報を入力中であるため、かかる入力作業が終わるまで第２の端末装置２００２では心臓の所見情報を入力できないという事を、直感的に認識することができる。
【００８９】
図８のステップＳ１０６０において、音声認識解析部３３０は、選択モードにある端末装置２００において、表示されている項目名の音声入力があり、続けて、入力開始コマンドの音声入力があったか否かを判定する。かかる判定は、例えば、所見録構造データ４１０（図３参照）、コマンドデータ４２０（図４参照）、発音辞書データ４３０（図５参照）、および端末状態管理表４４０（図６参照）に基づいて行われる。
【００９０】
ここで、判定の対象となる項目名は、所見録入力画面６００の所見入力領域６２０に、項目名ボタン６２１として表示されている。したがって、ユーザは、表示された複数の項目名ボタン６２１の中から１つを選択して読み上げるような感覚で、所望の項目名を選択し、これを端末装置２００に音声入力することができる。
【００９１】
例えば、心臓の所見入力領域６２０が表示されているとする（図１０参照）。この場合、「心臓摘出血液量」や「心臓摘出血液性状」等の項目名４１２（図３参照）および「入力開始」というコマンド４２２（図４参照）が、判定の対象となる。
【００９２】
音声認識解析部３３０は、項目名および入力開始コマンドの音声入力があった場合（Ｓ１０６０：ＹＥＳ）、処理をステップＳ１０７０へ進める。また、音声認識解析部３３０は、項目名および入力開始コマンドの音声入力がない場合（Ｓ１０６０：ＮＯ）、処理を後述のステップＳ１０８０へ進める。
【００９３】
ステップＳ１０７０において、入力画面制御部３４０は、項目名および入力開始コマンドの音声入力があった端末装置２００の画面モードを、入力モードに切り替えるとともに、選択中の項目として、入力された項目を設定する。
【００９４】
図１２は、図１０に示す所見録入力画面において「心臓摘出血液性状」に続けて「入力開始」が音声入力されたときの、所見録入力画面の変化を示す図であり、図１０に対応するものである。図１０と対応する部分には同一符号を付し、これについての説明を省略する。
【００９５】
図１２に示すように、入力画面制御部３４０は、音声入力された「心臓摘出血液性状」に対応する項目名ボタン６２１に、選択中であることを示す選択通知情報を付与する。選択通知情報としては、例えば、他の項目名ボタン６２１とは異なる項目名ボタン６２１の表示形態を用いる。かかる異なる表示形態としては、ボタン枠線の線種、ボタン色、ボタン形状、文字色、あるいは字体を採用することができる。
【００９６】
また、入力画面制御部３４０は、コマンド表示領域６３０に、入力モードのコマンド４２２（図４参照）の読みの一覧を表示させる。
【００９７】
図８のステップＳ１０８０において、音声認識解析部３３０は、入力モードにある端末装置２００において、コマンド表示領域６３０に表示されているコマンド以外の語句についての音声入力があったか否かを判定する。かかる判定は、例えば、コマンドデータ４２０（図４参照）、発音辞書データ４３０（図５参照）、および端末状態管理表４４０（図６参照）に基づいて行われる。
【００９８】
音声認識解析部３３０は、コマンド以外の語句についての音声入力があった場合（Ｓ１０８０：ＹＥＳ）、処理をステップＳ１０９０へ進める。また、音声認識解析部３３０は、コマンド以外の語句についての音声入力がない場合（Ｓ１０８０：ＮＯ）、処理を後述のステップＳ１１００へ進める。
【００９９】
ステップＳ１０９０において、入力画面制御部３４０は、音声入力された語句のテキスト情報を、選択されている項目名ボタン６２１に対応する入力エリア６２２（図１２参照）に表示する。また、情報記録部３５０は、入力された語句のテキストデータを、元の音声データとともに、選択されている項目名ボタン６２１に対応する項目についての所見情報として、電子所見録に記録する。すなわち、情報記録部３５０は、所見録情報データ３１３に、入力された情報を追加する。
【０１００】
図１３は、「全身」の部位名に対応する所見入力領域で所見情報が入力されたときの所見録入力画面の一例を示す図であり、図９〜図１２に対応するものである。図９〜図１２と対応する部分には同一符号を付し、これについての説明を省略する。
【０１０１】
図１３に示すように、所見入力領域６２０の各入力エリア６２２には、音声入力された所見情報が、テキスト表示される。テキスト情報は、例えば、各文節の音声認識結果が得られる毎に、リアルタイムで表示される。これにより、ユーザは、自分が発話した内容が正しく入力されているかどうかを、逐次確認しながら、音声入力の作業を行うことができる。
【０１０２】
なお、入力画面制御部３４０は、必要な所見情報の記録が全て行われた身体部位の部位名タブ６１１に対して、その旨を示す完了通知情報を付与してもよい。かかる完了通知情報としては、文字色、字体、あるいは背景色の変更等による、他の部位名タブ６１１とは異なる部位名タブ６１１の表示形態を採用することができる。
【０１０３】
すなわち、入力画面制御部３４０は、他のユーザが入力操作中につき音声入力が不可の身体部位、音声入力が可であり所見情報の記録が完了していない身体部位、および、音声入力が可であり所見情報の記録が未完了の身体部位のそれぞれを、識別可能に表示する。
【０１０４】
図８のステップＳ１１００において、音声認識解析部３３０は、入力モードにある端末装置２００において、入力停止コマンドの音声入力があったか否かを判定する。かかる判定は、例えば、コマンドデータ４２０（図４参照）、発音辞書データ４３０（図５参照）、および端末状態管理表４４０（図６参照）に基づいて行われる。
【０１０５】
音声認識解析部３３０は、入力停止コマンドの音声入力があった場合（Ｓ１１００：ＹＥＳ）、処理をステップＳ１１１０へ進める。また、音声認識解析部３３０は、入力停止コマンドの音声入力がない場合（Ｓ１１００：ＮＯ）、処理を後述のステップＳ１１２０へ進める。
【０１０６】
ステップＳ１１１０において、入力画面制御部３４０は、入力停止コマンドの音声入力があった端末装置２００の画面モードを、選択モードに切り替える。かかる設定は、端末状態管理表４４０（図６参照）を用いて行われる。
【０１０７】
ステップＳ１１２０において、音声認識解析部３３０は、編集コマンド等の、選択モードにおける入力開始コマンドおよび入力モードにおける入力停止コマンド以外のコマンド（他のコマンド）の音声入力があったか否かを判定する。かかる判定は、例えば、コマンドデータ４２０（図４参照）、発音辞書データ４３０（図５参照）、および端末状態管理表４４０（図６参照）に基づいて行われる。
【０１０８】
音声認識解析部３３０は、他のコマンドの音声入力があった場合（Ｓ１１２０：ＹＥＳ）、処理をステップＳ１１３０へ進める。また、音声認識解析部３３０は、他のコマンドの音声入力がない場合（Ｓ１１２０：ＮＯ）、処理を後述のステップＳ１１４０へ進める。
【０１０９】
ステップＳ１１３０において、入力画面制御部３４０は、音声入力されたコマンドに応じた処理を行う。かかる処理には、例えば、画面のスクロール、項目の追加、所見情報の入力が不要である事を示す情報の入力、入力された所見情報の編集、あるいは入力された所見情報の削除等が含まれる。
【０１１０】
ステップＳ１１４０において、入力画面制御部３４０は、所見情報の音声入力処理を終了する旨の指示があったか否かを判定する。かかる指示は、例えば、ユーザによる終了ボタンの押下等により行われる。
【０１１１】
入力画面制御部３４０は、処理の終了を指示されていない場合（Ｓ１１４０：ＮＯ）、処理をステップＳ１０２０へ戻す。また、入力画面制御部３４０は、処理の終了を指示された場合（Ｓ１１４０：ＹＥＳ）、一連の処理を終了する。
【０１１２】
このような動作により、電子所見録記録支援装置３００は、端末装置２００毎に、それぞれの表示状態および操作経過に応じて、情報やコマンドの音声入力を受け付けるとともに、身体部位毎の排他的な音声入力インタフェースを、ユーザにとって使いやすい形で実現することができる。
【０１１３】
他の端末装置２００において入力作業中の身体部位の部位名について、不可通知情報を表示せずに音声入力を受け付けないようにした場合、ユーザは、その理由を即座に特定することができず、困惑する可能性がある。
【０１１４】
この点、電子所見録記録支援装置３００は、不可通知情報を表示し、かつ、他の端末装置２００において入力作業中の身体部位については、対応する部位選択領域６１０を表示させない。この場合、ユーザは、部位名や項目名の無駄な発話を行う前に、入力操作の排他制御が働いているということを認識することができる。
【０１１５】
これにより、各ユーザは、他のユーザが入力作業中の身体部位以外の、他の身体部位の部位名を速やかに選択して、作業を進めることができる。すなわち、電子所見録記録支援装置３００は、複数のユーザが複数の身体部位に関する所見情報を音声によって電子所見録に記録する作業を、適切に支援することができる。
【０１１６】
図１４は、情報記録部３５０により生成される所見録情報データ３１３の内容の一例を示す図である。ここでは、所見録情報データ３１３が、ＸＭＬ（eXtensible Markup Language）で記述されており、所見録構造データ４１０（図３参照）および発音辞書データ４３０（図５参照）を含んでいる場合の例を示す。
【０１１７】
図１４に示すように、所見録情報データ３１３は、「ｓｐｏｋｅｎ」という属性により、項目名の読みを記述し、「ｌａｂｅｌ」という属性により、項目名の所見録入力画面における表記を記述している。また、所見録情報データ３１３は、「ｄａｔａ」とう属性により、入力された所見情報のテキスト情報を記述し、「ｉｎｉｔｉａｌ」という属性により、所見情報の初期状態を記述する。更に、所見録情報データ３１３は、「ｔｙｐｅ」とう属性により、入力欄タイプを記述し、「ｖｏｉｃｅｆｉｌｅ」という属性により、入力および記録された音声データのデータ名を記述する。なお、所見録情報データ３１３は、入力欄タイプが選択肢である場合、各選択肢の「ｓｐｏｋｅｎ」および「ｌａｂｅｌ」という属性についての記述を含むともに、「ｓｅｌｅｃｔ」という属性により、どの選択肢が選択されたか（つまり所見情報）を記述する。
【０１１８】
例えば、情報記録部３５０は、新規の対象について電子所見録を生成する場合、「ｄａｔａ」、「ｖｏｉｃｅｆｉｌｅ」、および「ｓｅｌｅｃｔ」の属性に値を記述しない状態で、所見録情報データ３１３を生成する。そして、情報記録部３５０は、所見情報が入力される毎に、所見情報の音声データ、テキスト情報、およびどの選択肢が選択されたかを示す情報を、情報記録部３５０の対応する箇所に追記していく。
【０１１９】
このような所見録情報データ３１３が生成されることにより、所見情報を電子所見録に反映させるだけでなく、元の音声データを音声出力して、音声入力が的確に行われたか否かを後から確認することも可能となる。
【０１２０】
例えば、入力画面制御部３４０は、音声入力だけでなく、キーボードやマウスといった手入力インタフェースによる所見情報の入力や編集の操作についても、ユーザから受け付ける。そして、入力画面制御部３４０は、表示されている項目名ボタン６２１に対して、クリック操作等の所定の操作が行われたとき、対応する音声データを所見録情報データ３１３に基づいて取得し、ラウドスピーカを介して音声出力する。
【０１２１】
これにより、所見情報を音声入力したユーザ、あるいは、電子所見録の情報を管理するオペレータは、実際の発話音声を確認して、適宜、記録された所見情報を編集することができる。
【０１２２】
なお、情報記録部３５０は、ユーザから所定の操作を受け付け、かかる所定の操作に応じて、所見録情報データ３１３の内容を文書データ化して剖検記録を作成し、表示や印刷を行ってもよい。
【０１２３】
図１５は、剖検記録の一例を示す図である。
【０１２４】
図１５に示すように、剖検記録７１０は、部位名毎に項目名を記述し、更に、各項目名に対応付けて、記録された所見情報を記述する。かかる剖検記録７１０は、例えば、鑑定書の剖検記録部として使用することができる。
【０１２５】
＜本実施の形態の効果＞
以上のように、本実施の形態に係る電子所見録記録支援装置３００は、複数の端末装置２００のそれぞれにおいて、身体部位毎に用意された部位別画面を介して、項目毎の所見情報を音声入力する。また、電子所見録記録支援装置３００は、ある端末装置２００においていずれかの部位別画面が表示されている間、他の端末装置２００では当該部位別画面を表示させないともに、対応する所見情報を音声入力することができない旨を当該他の端末装置２００のユーザに通知する。
【０１２６】
これにより、電子所見録記録支援装置３００は、手入力インタフェースを使用することが困難であり、かつ、複数のユーザが複数の身体部位についての所見情報を同時に入力することが必要なケースであっても、所見情報の電子所見録への記録作業を支援することができる。すなわち、電子所見録記録支援装置３００は、例えば、剖検所見の電子所見録への記録作業を支援することができる。
【０１２７】
＜本実施の形態の変形例＞
なお、以上説明した実施の形態では、電子所見録記録支援装置３００を、法医解剖における剖検所見を記録するためのシステムに適用した場合について説明したが、これに限定されない。電子所見録記録支援装置３００は、例えば、救急救命用の電子カルテ等、複数のユーザが複数の身体部位についての所見情報を同時に入力することを受け付ける各種システムに適用することができる。
【０１２８】
また、部位名、項目名、およびコマンドは、上述の例に限定されない。更に、項目名おおよびコマンドに関する処理は、項目名毎に細分化された所見情報の記録が不要であるような場合には、必ずしも必要でない。
【０１２９】
また、身体部位の単位は、上述の例に限定されない。身体部位は、一人のユーザが所見情報を記録する際に一時に着目する一まとまりの情報の範囲であればよく、更に、電子所見録の目的に応じて変化し得る。
【０１３０】
また、所見録入力画面６００（図９〜図１３参照）における各情報の配置および表示形態は、上述の例に限定されない。入力画面制御部３４０は、例えば、部位選択領域６１０を、所見入力領域６２０の左側、下側、あるいは右側に配置してもよい。
【０１３１】
また、所見録情報データのデータ形式は、上述の例に限定されない。所見録情報データは、ＲＴＦ（Rich Text Format）形式、ＴＥＸ形式、ｐｌａｉｎ  ｔｅｘｔ形式等の他のデータ形式であってもよい。
【０１３２】
また、端末接続部３２０は、ヘッドセット２２０および表示装置２３０のそれぞれと、個別に通信を行ってもよい。この場合、電子所見録記録支援装置３００は、例えば入力画面制御部３４０において、ヘッドセット２２０と表示装置２３０との対応付けを設定する必要がある。
【０１３３】
また、端末装置２００の構成は、上述の例に限定されない。端末装置２００は、例えば、マイクロフォンおよび液晶ディスプレイを備えたパーソナルコンピュータであってもよい。
【０１３４】
また、電子所見録記録支援装置３００が接続する端末装置２００の個数は、３個以上であってもよい。この場合、入力画面制御部３４０は、いずれかの端末装置の２００においていずれかの部位別画面が表示されている間、他の全ての端末装置２００に表示されている対応する部位名に、不可通知情報を付与する。また、入力画面制御部３４０は、いずれかの端末装置の２００においていずれかの部位別画面が表示されている間、対応する部位別画面を、他の全ての端末装置２００において表示させない。
【０１３５】
また、電子所見録記録支援装置３００の構成の一部は、ネットワーク上のサーバ等に配置される等して、電子所見録記録支援装置３００の構成の他の部分と離隔していてもよい。この場合、これら部分のそれぞれは、互いに通信を行うための通信部を備える必要がある。
【０１３６】
また、電子所見録記録支援装置３００の構成の一部または全部は、いずれかの端末装置２００と一体的に構成されていてもよい。
【０１３７】
＜本開示のまとめ＞
本開示の電子所見録記録支援装置は、複数の身体部位に関する所見情報の電子所見録への入力を支援する電子所見録記録支援装置であって、音声入力機能および画像表示機能をそれぞれ有する複数の端末装置と接続する端末接続部と、前記端末装置毎に、音声認識処理により、前記身体部位の部位名が音声入力されたか否か、および、前記所見情報が音声入力されたか否か、を判定する音声認識解析部と、前記端末装置毎に、前記複数の身体部位の部位名の一覧を含む所見録入力画面を生成して表示させ、前記部位名が前記端末装置において音声入力されたとき、当該端末装置の前記所見録入力画面に、対応する前記所見情報を入力するための部位別画面を含める入力画面制御部と、前記部位別画面を表示している前記端末装置において前記所見情報が音声入力されたとき、音声入力された前記所見情報を、対応する前記部位名に対応付けて前記電子所見録に記録する情報記録部と、を有し、前記入力画面制御部は、前記複数の端末装置のうちの１つにおいて前記部位別画面が表示されている間、他の前記端末装置に表示されている対応する前記部位名に対して、対応する前記所見情報の入力が不可である事を示す不可通知情報を付与し、対応する前記部位別画面を前記他の端末装置において表示させない。
【０１３８】
なお、上記電子所見録記録支援装置において、前記入力画面制御部は、前記部位名の表示形態の変化させることにより、前記不可通知情報を付与してもよい。
【０１３９】
また、上記電子所見録記録支援装置において、前記部位別画面は、複数の項目名の一覧を表示し、前記音声認識解析部は、前記複数の端末装置のそれぞれについて、音声認識処理により、前記端末装置に表示されている前記項目名が音声入力されたか否か、を判定し、前記情報記録部は、前記項目名を表示している前記端末装置において当該項目名が音声入力されたとき、当該項目名を選択し、選択されている前記項目名を表示している前記端末装置において前記所見情報が音声入力されたとき、音声入力された前記所見情報を、選択されている前記項目名に対応付けて前記電子所見録に記録してもよい。
【０１４０】
上記電子所見録記録支援装置において、前記部位別画面は、前記複数の項目名のそれぞれに対応付けて、前記項目名毎の入力欄を表示し、前記入力画面制御部は、前記項目名を表示している前記端末装置において当該項目名および前記所見情報が音声入力されたとき、音声入力された前記所見情報を、対応する前記入力欄に表示してもよい。
【０１４１】
また、上記電子所見録記録支援装置において、前記音声認識解析部は、音声認識処理により、前記端末装置に表示されている前記所見情報を編集するための編集コマンドが音声入力されたか否か、を判定し、前記入力画面制御部は、前記所見情報を表示している前記端末装置において前記編集コマンドが音声入力されたとき、当該編集コマンドに従って、表示されている前記所見情報を編集し、前記情報記録部は、前記所見情報が編集されたとき、編集された前記所見情報を、対応する前記部位名に対応付けて前記電子所見録に記録してもよい。
【０１４２】
また、上記電子所見録記録支援装置において、前記音声認識解析部は、前記複数の端末装置のそれぞれについて、音声認識処理により、選択されている前記項目名に対応する前記所見情報の入力を開始する入力開始コマンドが音声入力されたか否か、および、選択されている前記項目名に対応する前記所見情報の入力を停止する入力停止コマンドが音声入力されたか否か、を判定し、前記入力画面制御部は、前記端末装置において、前記入力開始コマンドが音声入力されてから前記入力停止コマンドが音声入力されるまでの間は、当該端末装置において前記部位別画面の表示の切り替え、および、前記項目名の選択の切り替えを行わないようにしてもよい。
【０１４３】
また、上記電子所見録記録支援装置において、前記部位別画面は、当該部位別画面に表示されている前記所見情報を編集するための前記編集コマンドの読み、前記入力開始コマンドの読み、および前記入力停止コマンドの読みを一覧表示してもよい。
【０１４４】
また、上記電子所見録記録支援装置において、前記音声認識解析部は、前記複数の部位名、当該複数の部位名に対応する前記複数の項目名、前記所見情報に用いられる複数の語句、前記編集コマンド、前記入力開始コマンド、および前記入力停止コマンドの、それぞれの読みを記述した発音辞書を用いてもよい。
【０１４５】
また、上記電子所見録記録支援装置において、前記入力画面制御部は、対応する前記複数の項目名の全てについて前記所見情報が記録された前記部位名に対して、前記所見情報の入力が完了した事を示す完了通知情報を付与してもよい。
【０１４６】
本開示の電子所見録記録支援方法は、複数の身体部位に関する所見情報の電子所見録への入力を支援する電子所見録記録支援方法であって、音声入力機能および画像表示機能をそれぞれ有する複数の端末装置のそれぞれに、前記複数の身体部位の部位名の一覧を表示させるステップと、前記端末装置毎に、音声認識処理により、前記部位名が音声入力されたか否かを判定するステップと、前記端末装置において前記部位名が音声入力されたとき、当該部位名に対応する前記所見情報を入力するための部位別画面が他の前記端末装置において表示されていないことを条件として、当該部位名が音声入力された前記端末装置に、当該部位名に対応する前記部位別画面を前記部位名の一覧に加えて表示させるステップと、前記複数の端末装置のうちの１つにおいて前記部位名が音声入力されたとき、当該部位名に対応する前記所見情報を入力するための部位別画面を、当該部位別画面が他の前記端末装置において表示されていないことを条件として、当該部位名が音声入力された前記端末装置に前記部位名の一覧に加えて表示させるステップと、前記複数の端末装置のうちの１つにおいて前記部位別画面が表示されている間、他の前記端末装置に表示されている対応する前記部位名に対して、対応する前記所見情報の入力が不可である事を示す不可通知情報を付与するステップと、前記端末装置毎に、音声認識処理により、前記所見情報が音声入力されたか否かを判定するステップと、前記部位別画面を表示している前記端末装置において前記所見情報が音声入力されたことを条件として、音声入力された前記所見情報を、対応する前記部位名に対応付けて前記電子所見録に記録するステップと、を有する。
【産業上の利用可能性】
【０１４７】
本発明は、剖検所見の電子所見録への記録作業を支援することができる電子所見録記録支援装置および電子所見録記録支援方法として有用である。
【符号の説明】
【０１４８】
１００  電子所見録システム
２００  端末装置
２１０  端末制御装置
２２０  ヘッドセット
２３０  表示装置
３００  電子所見録記録支援装置
３１０  情報格納部
３１１  音声認識辞書
３１２  所見録構成情報
３１３  所見録情報データ
３２０  端末接続部
３３０  音声認識解析部
３４０  入力画面制御部
３５０  情報記録部
【図１】
0006290111.tif 000002
【図２】
0006290111.tif 000003
【図３】
0006290111.tif 000004
【図４】
0006290111.tif 000005
【図５】
0006290111.tif 000006
【図６】
0006290111.tif 000007
【図７】
0006290111.tif 000008
【図８】
0006290111.tif 000009
【図９】
0006290111.tif 000010
【図１０】
0006290111.tif 000011
【図１１】
0006290111.tif 000012
【図１２】
0006290111.tif 000013
【図１３】
0006290111.tif 000014
【図１４】
0006290111.tif 000015
【図１５】
0006290111.tif 000016